(57)【要約】【課題】本考案は、城郭及び神社仏閣等の石垣、石段及び石畳等の石材部分を実物に似せることで美観的に優れた建築物プラスチック模型を提供する。【解決手段】本考案は、石垣、石段及び石畳等の石材部分を有する城郭及び神社仏閣等の建築物プラスチック模型において、石垣、石段及び石畳等の石材部分を任意の大きさのコルク片で形成することにより城郭及び寺社仏閣等の石垣、石段及び石畳等の景観に似せて美観の優れた建築物プラスチック模型が得られる。【選択図】図３
0003226067.tif 000002
【実用新案登録請求の範囲】
【請求項１】
石垣、石段及び石畳等の石材部分を有する建築物のプラスチック模型において、所定のサイズに破砕したコルク片によって石垣、石段及び石畳等の石材部分を形成していることを特徴とする建築物プラスチック模型。
【考案の詳細な説明】
【技術分野】
【０００１】  本考案は、石垣、石段及び石畳等の石材を有する建築物のプラスチック模型において、石垣、石段及び石畳等の石材部分を任意の大きさのコルク片で形成してなる建築物プラスチック模型に関するものである。
【背景技術】
【０００２】  プラスチック模型は主にプラスチック樹脂を金型に注入する射出成形法によって各部位を成形し、これらの各部位を接着、嵌合、またはねじ止め等して組み立てることにより製作され、組み立てられたプラスチック模型は実際の外観に似せて塗装されることもある。
また城郭、神社仏閣等の建築物には石材を使用した石垣、石段及び石畳等があり、これらの部位の模型も射出成形によって作られる。さらに建築物プラスチック模型においては、周辺の草木や雪等も作成して実際の景観に似せる工夫がなされる場合もある。【０００３】  こうした中、下記特許文献１（特開平６‐２３９１００号公報）において、運動競技場、風景などの実物にリアルに作成して立体感、臨場感を感ずるようにした模型からなる観賞用模型部材を備えた観賞用装飾品が記載されている。
また、下記特許文献２（実開昭６１‐１４０３７９号公報）において、コルクと接着剤を適量混合、または補強材を添加混合し、所定の型に詰めて模型が得られることが記載されている。
【先行技術文献】
【特許文献】
【０００４】
【特許文献１】特開平６−２３９１００号公報
【特許文献２】実開昭６１−１４０３７９号公報
【０００５】
【考案の概要】
【考案が解決しようとする課題】
【０００６】  一般的なプラスチック模型においては、石材で形成されている石垣、石段及び石畳等の部位もその他の部位と同様に、射出成形法で作られるため、比較的平面的で僅かな掘り込みや表面の凹凸で石垣等が再現されるため、リアリティに欠けるという問題があった。プラスチック射出成形においては、模型形状を掘り込んだ金型に高温の溶融プラスチック樹脂を圧入したのち、冷えて固まった模型を金型から取り出す。この際金型の表面が粗いと金型に付着して模型を取り出す際に模型が破損してしまう。【０００７】  また、外観部品を作成する場合、金型を加工する際の加工痕が模型に転写されてしまうため、金型表面を磨く必要がある。このため石垣等の形状を実際の外観に近づけるためには金型が高価になってしまう。また実際の石材間の隙間はアンダーカットになっているため、射出成形では再現できず、リアリティに欠けるという問題もある。【０００８】  こうした中、上記特許文献１においては、運動競技場、風景などの実物をリアルに真似て模型を作成することが記載されているが、具体的な形態については記載されていない。【０００９】  また、上記特許文献２においては、コルク細片、チップ、粉末等の粒度の異なるコルクを使用し、モールド通りのきれいで滑らかな形状（シルエット）を形成することを目的としており、コルク片の形状及び質感を利用するものではなく、石材を有する建築物の外観に似せることはできない。
【課題を解決するための手段】
【００１０】  本考案は、上記の課題を解決するために、石垣、石段及び石畳等の石材部分を有する建築物のプラスチック模型において、所定のサイズに破砕したコルク片によって石垣、石段及び石畳等の石材部分を形成していることを特徴とする。
【考案の効果】
【００１１】  本考案によれば、石垣、石段及び石畳等の石材部分に質感及び形状が似たコルク片を使用したので、美観的に優れた城郭及び神社仏閣等の石材部分を有する建築物のプラスチック模型が得られる。
【図面の簡単な説明】
【００１２】
【図１】本考案のコルク片の外形図を示す。
【図２】本考案のコルク片シートの外観図を示す。
【図３】本考案の実施形態の城郭のプラスチック模型の外観図を示す。
【考案を実施するための形態】
【００１３】  コルクを不定形に破砕したコルク片は、切断等によって直線的に加工された石材ではなく、自然乃至石の目に沿って割る等した石材に形状が似ており、このコルク片と接着剤を混合したのち、城郭または神社仏閣等の石垣、石段及び石畳等のアウトラインを掘り込んだ型に詰めて固めることにより、石垣、石段及び石畳等に似た外観の当該部の模型が得られる。これを城郭または神社仏閣等のプラスチック模型の石垣、石段及び石畳等の部分に使用することで実際の景観に似せた建築物プラスチック模型が得られ、さらに塗装することで一層景観に似せることができる。
【００１４】  また、コルク片は弾力性があるため、型に詰めて適度に圧縮しても型から取り出すと復元して表面は凸凹になるため、質感が喪失することはない。また型の形状は当該部分のアウトラインだけでよく、細かい掘り込みや凹凸を形成する必要もない。また型の表面が粗くても接触面積が狭いため簡単に離型できるうえ、表面肌はコルクの表面によって直接形成されるため、三次元プリンター等により作製した段差が残ったままの樹脂型でも使用でき、型製作コストが大幅に低減できる。
【００１５】  また、石材部が部分的に存在する場合、それぞれ型を製作すると型製作費が掛かるため、必要な石材部分だけにコルク片をシート状に接着したコルク片シートを貼り付けて形成することで型が要らなくなり、型製作コストが削減できる。
【実施例】
【００１６】  以下、図面によって一実施例を説明する。図１は本考案のコルク片の外形図であり、任意に破砕したコルク片１は石の目に沿って割った石材にその形状が似ている。また、図２は本考案のコルク片シートの外観図である。さらに図３は本考案の実施形態の城郭のプラスチック模型の外観図である。【００１７】  石垣部分４は市販のプラスチック模型から型取りした当該部の紙製の型にコルクボードを加工する際に発生した１〜２ｍｍ程度の大きさのコルク片（大）と接着剤を混合した材料を詰めた後、型抜きし、乾燥して作成した。また、石段部分５は石垣に使用したコルク片よりも小さい０．５〜１ｍｍの大きさのコルク片（中）により、同様にして作成した。さらにまた、石畳部分６はさらに細かい０．５ｍｍ程度の大きさのコルク片（小）１ａを樹脂製シート２に貼り付けてシート状にしたコルク片シートを作成し、当該部に貼り付けることにより作成した。なお、天守部分は市販のプラスチック模型を使用し、これらを接着し城郭のプラスチック模型を作成した。【００１８】  コルク片はそれぞれ形状が異なるため、その接着面は平面にならず、石材の目地のように不規則であり、またある程度圧縮することで適当な目地の隙間にすることができ、且つ表面もコルク片の凹凸がそのまま残存するため、あたかも石材が積み上げられたような外観になることから、安価で実際の城郭の景観に似た外観で美観的に優れた城郭のプラスチック模型が得られた。
【符号の説明】
【００１９】１    コルク片
１ａ  コルク片（小）
２    樹脂製シート
３    天守部分
４    石垣部分
５    石段部分
６    石畳部分
【図１】
0003226067.tif 000003
【図２】
0003226067.tif 000004
【図３】
0003226067.tif 000005